(57)【要約】      （修正有）【課題】均一性に優れた効率のよい保温性、具体的には、軽量化を図りつつ充分な保温効果を得ることができる保温性を有する防寒衣服を提供する。【解決手段】本発明の防寒衣服は、表地１と中地２と裏地３とを積層した防寒衣服であって、中地２を表地１に対して線状に止着した表止着線４と、表地１と中地２と２本の表止着線４により画される表側区画６と、中地２を裏地３に対して線状に止着した裏止着線と、裏地３と中地２と２本の裏止着線により画される裏側区画７と、これら表側区画および裏側区画に収容された中材８とを有し、表止着線４と裏止着線とは互いに重ならないように配されており、中地２の通気量が５ｃｃ／ｃｍ２／ｓｅｃ以上である。【選択図】図２
2011202295.tif 000002
【特許請求の範囲】
【請求項１】
表地と中地と裏地とを積層した防寒衣服であって、
前記中地を前記表地に対して線状に止着した表止着線と、前記表地と前記中地と２本の表止着線により画される表側区画と、前記中地を前記裏地に対して線状に止着した裏止着線と、前記裏地と前記中地と２本の裏止着線により画される裏側区画と、これら表側区画および裏側区画に収容された中材とを有し、
前記表止着線と前記裏止着線とは互いに重ならないように配されており、
前記中地の通気量が５ｃｃ／ｃｍ２／ｓｅｃ以上であることを特徴とする防寒衣服。
【請求項２】
蓄熱材および／または発熱材を含有している請求項１に記載の防寒衣服。
【請求項３】
前記裏地が蓄熱材および／または発熱材を含有している請求項２に記載の防寒衣服。
【請求項４】
前記中地、前記表地、前記裏地のいずれか少なくとも一つの伸度が１０％以上である請求項１〜３のいずれかに記載の防寒衣服。
【請求項５】
前記表止着線または裏止着線に直交する面において、隣り合う表止着線間では前記表地の長さが前記中地の長さよりも長く、隣り合う裏止着線間では前記裏地の長さが前記中地の長さよりも長い請求項１〜４のいずれかに記載の防寒衣服。
【請求項６】
前記表止着線または裏止着線に直交する面において、隣り合う表止着線間では前記中地の長さが前記表地の長さよりも長い請求項１〜４のいずれかに記載の防寒衣服。
【請求項７】
前記表止着線または裏止着線に直交する面において、隣り合う裏止着線間では前記中地の長さが前記裏地の長さよりも長い請求項１〜４のいずれかに記載の防寒衣服。
【請求項８】
前記表止着線または裏止着線に直交する面において、隣り合う表止着線間では前記表地の長さが前記中地の長さと略等しく、隣り合う裏止着線間では前記裏地の長さが前記中地の長さと略等しい請求項１〜４のいずれかに記載の防寒衣服。
【請求項９】
表地と中地と裏地とを積層した防寒衣服の製造方法であって、
前記中地に、前記裏地側に対して突出する帯線状の重ね代を複数形成する工程と、
前記中地と前記表地との間に中材を挟持した状態で前記重ね代を除く複数箇所において前記中地と前記表地とを線状に止着した表止着線を形成することにより、前記表地と前記中地と２本の表止着線により画されかつ内部に中材を有する表側区画を構成する工程と、
前記中地の重ね代と前記裏地とを線状に止着して裏止着線を形成することにより、前記裏地と前記中地と２本の裏止着線により画される裏側区画を構成する工程と、
前記裏側区画に中材を挿入する工程とを有する防寒衣服の製造方法。
【請求項１０】
前記重ね代の形成は、２枚の中地を所定幅の縫代を残して縫合することにより行う請求項９に記載の防寒衣類の製造方法。
【請求項１１】
表地と中地と裏地とを積層した防寒衣服の製造方法であって、
前記中地と、前記表地または前記裏地とを線状に止着することにより表止着線または裏止着線である第一止着線を形成する工程と、次いで、
前記中地と、前記表地または前記裏地とを線状に止着することにより表止着線または裏止着線である第二止着線を形成する工程と、以降順次、
Ｎを３以上の自然数、ｎを３以上Ｎ以下の自然数として、
前記中地と、前記表地または前記裏地とを線状に止着することにより表止着線または裏止着線である第ｎ止着線を形成する工程とを有し、
前記第一止着線ないし前記第Ｎ止着線は、第一から第Ｎの順に並列に配されたものであり、
次いで、前記表地と前記中地と隣り合う２本の表止着線により画される表側区画、および、前記裏地と前記中地と隣り合う２本の裏止着線により画される裏側区画に中材を挿入する工程とを有する防寒衣服の製造方法。
【発明の詳細な説明】
【技術分野】
【０００１】
本発明は、羽毛、羽根、綿等の中材を備えた保温効果の高い防寒衣服とその製造方法に関するものである。
【背景技術】
【０００２】
一般に、表地と裏地との間に羽毛や羽根や中綿等の如き中材を収容した積層構造の防寒衣服は、中材が移動して偏ることがないよう、表地と裏地とを縫い合わせていくつかの区画を形成し、各区画に中材を閉じ込めた構造になっている。しかし、かかる構造では、区画の境界（すなわち縫い目）において中材が存在しない状態になるため、ここから内部の暖気が放散されて保温性を損なうという問題があった。
【０００３】
防寒衣服におけるこのような問題を解決する手段としては、表地と裏地との間に中地を介入させ、中地を表地と裏地に交互かつ平行に縫着して二重かつ交互に区画を形成し、該区画に羽毛を充填した構造が提案されている（特許文献１、第二図参照）。この構造は、換言すれば、表地と裏地の間に中地を設け、表地と中地で形成される区間の境界（縫合線）と、裏地と中地で形成される区画の境界（縫合線）とが重ならないようにした２層構造である。
【０００４】
なお、区画の境界に中材が存在しないことにより保温性を損なうといった問題は、布団などの用途においても同様に起こるものであり、前記特許文献１に記載の如き２層構造を適用した羽毛布団も知られている（特許文献２、３参照）。
【０００５】
しかしながら、主に羽毛布団に関する特許文献１〜３で開示された２層構造をダウンウエア等の防寒衣服に単に適用しても、防寒衣服として必要である均一な保温性は得られないと考えられる。
【０００６】
すなわち、上記２層構造を布団に適用する場合においては、体温によって温められた暖気が身体を覆う部分（身体に接する部分）に留まり、身体に直接接しない外縁の部分にまでは到達しない方が、身体保温性の点でむしろ有利であると言える。上述した従来の２層構造は、中地と表地または裏地とで形成される各区画がそれぞれ独立して体温等で温められた暖気を保持するようになっているので、かかる布団に求められる保温性を実現するうえでは有効である。しかしながら、防寒衣服においては、逆に、一部分で温められた暖気が衣服内部の各所にまで均等に行き渡る方が、着用者の身体全体を効率よく保温することができ、望ましい。防寒衣服に求められるこのような均一性の高い保温は、上述した従来の２層構造では実現し得なかったものである。
【０００７】
また、防寒衣服としては、近年、軽量で且つ保温性に優れたものが要望されており、中材の使用量を少量に抑えて軽量化を図りつつも充分な保温効果を発揮させることが求められている。しかし、上述した従来の２層構造を適用しただけの防寒衣服では、保温性は各区画に収容されている中材の量に依存することになるので、軽量化しつつ充分な保温効果を保持させることは難しい。
【０００８】
なお、近年、羽毛等の中材入りの衣服として、表地と裏地とを有し、かつその間に羽毛と、所定の通気量を有する朱子織物または不織布とを備えた衣服が知られている（特許文献４、５参照）。しかし、これらの衣服は、洗濯時の問題（洗液浸透および脱水性）を改善することを目的に、衣服の厚み方向に通気性を持たせたものであり、身体の均一な保温性に関しては改良されていない。
【先行技術文献】
【特許文献】
【０００９】
【特許文献１】昭和１７年実用新案出願公告第２００７号公報
【特許文献２】実開昭６２−１９０５６９号公報
【特許文献３】特開平１１−１７８６８７号公報
【特許文献４】特開２００５−６８５７１号公報
【特許文献５】特開２００５−１９４６４９号公報
【発明の概要】
【発明が解決しようとする課題】
【００１０】
本発明は上記の様な事情に着目してなされたものであって、その目的は、均一性に優れた効率のよい保温性、具体的には、軽量化を図りつつ充分な保温効果を得ることができる保温性を有する防寒衣服とその製造方法を提供することである。
【課題を解決するための手段】
【００１１】
上記課題を解決し得た本発明の防寒衣服とは、表地と中地と裏地とを積層した防寒衣服であって、前記中地を前記表地に対して線状に止着した表止着線と、前記表地と前記中地と２本の表止着線により画される表側区画と、前記中地を前記裏地に対して線状に止着した裏止着線と、前記裏地と前記中地と２本の裏止着線により画される裏側区画と、これら表側区画および裏側区画に収容された中材とを有し、前記表止着線と前記裏止着線とは互いに重ならないように配されており、前記中地の通気量が５ｃｃ／ｃｍ２／ｓｅｃ以上であることを特徴とするものである。このように上述した従来の２層構造において一定以上の通気性を有する中地を用いることによって、中地で画された隣り合う区画間で空気の移動が可能になり、その結果、衣服内部の隅々にまで均等に暖気が行渡り、均一性に優れた保温が可能な防寒衣服となる。
【００１２】
本発明の防寒衣服においては、蓄熱材および／または発熱材を含有していることが好ましい。蓄熱材を含有する場合には、表地から透過した太陽光を吸収して熱が蓄積され、発熱材を含有する場合には、例えば吸湿発熱材であれば汗や衣服内に篭った湿気により発熱するので、それらの熱でさらに発生した暖気が衣服内部を巡り、保温均一性がより向上する。例えば、背面から太陽光を受けて後身頃で蓄熱されると、それによって温められた暖気が通気性のある中地を通過して前身頃にまで移動するので、太陽光が当たらない前面にも暖かさが伝わる。なお、蓄熱材および／または発熱材は、表地、中地、裏地、中材のいずれに含有されていてもよいが、蓄熱もしくは発熱した熱の放散を抑えるうえで、裏地に含有されているのが好ましい。
【００１３】
本発明の防寒衣服においては、前記中地、前記表地、前記裏地のいずれか少なくとも一つの伸度が１０％以上であることが好ましい。前記中地、前記表地、前記裏地のいずれか少なくとも一つが所定の伸縮性を有することにより、衣服自体にストレッチ性を付与でき、着心地よく着用できる防寒衣服となる。ただし、前記表地および前記裏地については、羽毛などの中材が通り抜けて衣服表面に飛び出さないだけの緻密性を有することが要求される。一般に、伸度が大きくなると緻密性は低下する傾向があるため、伸度を前記範囲に設計する際には、緻密性とのバランスを考慮することが望まれる。これに対して、前記中地においては、緻密性とのバランスを考慮する必要はないので、前記中地、前記表地および前記裏地の中では特に、中地の伸度を前記範囲に設計するのが好ましい。
【００１４】
本発明の防寒衣服においては、前記表止着線または裏止着線に直交する面において、隣り合う表止着線間では前記表地の長さが前記中地の長さよりも長く、隣り合う裏止着線間では前記裏地の長さが前記中地の長さよりも長いことが好ましい。例えば、前記中地の伸度を前記範囲に設定して衣服自体のストレッチ性を向上させようとする場合、表地または裏地の長さが中地の長さと同じかそれよりも短いと、中地が伸び始めるより先に、表地または裏地によって衣服自体の伸びが制限されることになり、中地が有する伸びを活かすことができなくなる。
【００１５】
さらに、本発明の防寒衣服においては、前記表止着線または裏止着線に直交する面において、隣り合う表止着線間では前記中地の長さが前記表地の長さよりも長くなるよう設定してもよいし、隣り合う裏止着線間では前記中地の長さが前記裏地の長さよりも長くなるよう設定してもよい。これらの場合には、必要に応じて、前記表地または前記裏地に、緻密性と両立させうるような方法でストレッチ性を付与することが望ましい。他方、衣服自体のストレッチ性よりもむしろ、製造時の作業性（特に縫製のし易さ）を重視する場合には、前記表止着線または裏止着線に直交する面において、隣り合う表止着線間では前記表地の長さが前記中地の長さと略等しく、隣り合う裏止着線間では前記裏地の長さが前記中地の長さと略等しくなるよう設計することが好ましい。
【００１６】
また、本発明の第一の防寒衣服の製造方法は、表地と中地と裏地とを積層した防寒衣服の製造方法であって、前記中地の複数の箇所に、前記裏地側に対して突出する帯線状の重ね代を形成する工程と、前記中地と前記表地との間に中材を挟持した状態で前記重ね代を除く複数箇所において前記中地と前記表地とを線状に止着した表止着線を形成することにより、前記表地と前記中地と２本の表止着線により画されかつ内部に中材を有する表側区画を構成する工程と、前記中地の重ね代と前記裏地とを線状に止着して裏止着線を形成することにより、前記裏地と前記中地と２本の裏止着線により画される裏側区画を構成する工程と、前記裏側区画に中材を挿入する工程とを有する。このような第一の製造方法によれば、縫合によって表側区画の形成と中材の挿入とを同じ工程で行えるので、簡便に効率よく本発明の防寒衣服を製造することができる。ここで、前記重ね代の形成は、２枚の中地を所定幅の縫代を残して縫合することにより行うことが、作業性の点で好ましい。
【００１７】
また、本発明の第二の防寒衣服の製造方法は、表地と中地と裏地とを積層した防寒衣服の製造方法であって、前記中地と、前記表地または前記裏地とを線状に止着することにより表止着線または裏止着線である第一止着線を形成する工程と、次いで、前記中地と、前記表地または前記裏地とを線状に止着することにより表止着線または裏止着線である第二止着線を形成する工程と、以降順次、Ｎを３以上の自然数、ｎを３以上Ｎ以下の自然数として、前記中地と、前記表地または前記裏地とを線状に止着することにより表止着線または裏止着線である第ｎ止着線を形成する工程とを有し、前記第一止着線ないし前記第Ｎ止着線は、第一から第Ｎの順に並列に配されたものであり、次いで、前記表地と前記中地と隣り合う２本の表止着線により画される表側区画、および、前記裏地と前記中地と隣り合う２本の裏止着線により画される裏側区画に中材を挿入する工程とを有する。このような第二の製造方法によれば、中地と表地または裏地との止着を縫合によって行うことができる。
【発明の効果】
【００１８】
本発明によれば、中材を収容する表側区画および裏側区画が一定以上の通気性を有する中地で画されているので、隣り合う区画間で空気の移動が可能になり、その結果、衣服内部の隅々にまで均等に暖気が行渡り、均一性に優れた効率のよい保温性を発現するという効果が得られる。これにより、軽量化を図りつつ充分な保温効果を発揮する防寒衣服を提供することができる。
【図面の簡単な説明】
【００１９】
【図１】本発明の防寒衣服の一実施形態を前身頃側から見たときの正面図である。
【図２】図１に示す実施形態について、防寒衣服の前身頃をＸ−Ｘ線で切断したときの拡大断面斜視図である。
【図３】本発明の防寒衣服の他の実施形態について、防寒衣服の前身頃を図２と同様に切断したときの断面斜視図である。
【図４】本発明の防寒衣服のさらに他の実施形態について、防寒衣服の前身頃を図２と同様に切断したときの断面斜視図である。
【図５】本発明の第一の防寒衣服の製造方法を説明するための概念図である。
【図６】本発明の第一の防寒衣服の製造方法における各段階（ａ）〜（ｄ）を説明するための工程断面図である。
【図７】本発明の第二の防寒衣服の製造方法を説明するための概念図である。
【図８】本発明の第二の防寒衣服の製造方法における各段階（ａ）〜（ｆ）を説明するための工程断面図である。
【発明を実施するための形態】
【００２０】
（防寒衣服）
以下、本発明に係る防寒衣服に関し、図面を参照しつつ詳細に説明する。
図１および図２に、本発明の防寒衣服の一実施形態であるダウンジャケットを示す。図１はダウンジャケットを前身頃側から見たときの正面図であり、図２はダウンジャケットの前身頃をＸ−Ｘ線で切断したときの拡大断面斜視図である。
【００２１】
本発明の防寒衣服においては、表地１と中地２と裏地３とが積層されており、中地２を表地１に対して線状に止着した表止着線４と、中地２を裏地３に対して線状に止着した裏止着線５とが、互いに重ならないように複数配されている。そして、表地１と中地２と２本の表止着線４により画される表側区画６と、裏地３と中地２と２本の裏止着線５により画される裏側区画７には、中材８が収容されている。
【００２２】
本発明においては、中地２の通気量が５ｃｃ／ｃｍ２／ｓｅｃ以上であることが重要であり、好ましくは、１０ｃｃ／ｃｍ２／ｓｅｃ以上、より好ましくは１５ｃｃ／ｃｍ２／ｓｅｃ以上であるのがよい。中地２の通気量が５ｃｃ／ｃｍ２／ｓｅｃ未満であると、隣り合う区画間で空気の移動ができなくなり、衣服内部の隅々にまで均等に暖気が行渡り、均一性に優れた保温性を発現するという本発明の効果が得られなくなる。一方、中地２の通気量があまりに多すぎると、羽毛などの中材８が中地２を通りぬけ中材８が偏ってしまうおそれがあるので、中地２の通気量は、好ましくは５０ｃｃ／ｃｍ２／ｓｅｃ以下、より好ましくは４０ｃｃ／ｃｍ２／ｓｅｃ以下、さらに好ましくは３０ｃｃ／ｃｍ２／ｓｅｃ以下であるのがよい。なお、本発明において、通気量は、ＪＩＳ−Ｌ−１０９６（フラジール法）に従って測定されるものとする。
【００２３】
本発明においては、中地２、表地１、裏地３のいずれか少なくとも一つの伸度が１０％以上であることが好ましく、より好ましくは２０％以上、さらに好ましくは３０％以上であるのがよい。伸度が１０％未満であると、衣服にストレッチ性が付与されにくく、着心地が悪くなる場合があるからである。ここで、伸度は、経緯方向およびバイアス方向のいずれの方向に関する伸度であってもよく、少なくともいずれか一方向の伸度が前記範囲であればよい。また、中地２、表地１および裏地３の中では特に、中地２の伸度を前記範囲に設定するのが好ましい。一方、中地２、表地１、裏地３の伸度は、上限は特にないが、あまりに大きすぎると、羽毛などの中材８が中地２、表地１、裏地３を通りぬけてしまうおそれがあるので、６０％以下が好ましく、５０％以下がより好ましい。なお、本発明において、伸度は、ＪＩＳ−Ｌ−１０９６  Ｂ−１（定荷重法）に従って測定されるものとする。
【００２４】
さらに、中地２、表地１、裏地３の伸度は、それぞれ、衣服を構成する部位ごとに異なるよう設計してもよく（例えば、ジャケットであれば、肘や肩甲骨の部分の伸度を、他の部分の伸度よりも大きく設定する等）、その場合には、よりストレッチ性が高く着心地の良い防寒衣服にすることができる。具体的には、例えば、中地２、表地１または裏地３として、部位ごとに糸の種類、糸の本数もしくは織編の方法を変えた一枚の織編物を用いるか、糸の種類、糸の本数もしくは織編の方法が異なる複数の織編物を繋ぎ合わせて用いるなどすればよい。
【００２５】
前記中地２は、前記範囲の通気性を有するものであれば特に制限されるものではなく、前記表地１および前記裏地３は、羽毛などの中材８が通り抜けて衣服表面に飛び出さない程度の緻密性を有するものであれば特に制限されるものではない。中地２、表地１、裏地３として用いる生地（織編物）の織組織、編組織、糸材料（組成）、目付けなどは、適宜設定すればよく、限定はされないが、例えば、織物であれば、平織、綾織、斜文織、朱子織などの組織の織物を挙げることができ、編物であれば、丸編み、緯編み、経編みなどの組織の編物を挙げることができる。伸縮性を持たせた中地２の好ましい一例としては、例えば、通気量が２０ｃｃ／ｃｍ２／ｓｅｃ、経方向の伸度が２４．９％、緯方向の伸度が１７．８％である、ポリエステル８４％／ポリウレタン１６％混合糸からなる平織の生地が挙げられる。
【００２６】
なお、緻密性を要する表地１および裏地３にストレッチ性を付与しようとする場合には、編物（ニット）にウレタン等のコーティングを施した生地のごときストレッチ性の高い生地を用いたり、織組織のバイアス方向を表止着線または裏止着線に直角に交わるように向けて使用したりすればよい。
【００２７】
前記表止着線４または裏止着線５に直交する面（すなわち図２に示す断面）において、隣り合う表止着線間Ｙでは表地１の長さが中地２の長さよりも長く、隣り合う裏止着線間Ｚでは裏地３の長さが中地２の長さよりも長いことが好ましい。例えば、前記中地２の伸度が経緯とも１０％以上である場合、表地１および裏地３の長さが中地２の長さよりも短いと、表地１または裏地３の長さによって中地２の伸びが制限されることになり、中地２の伸度に関わらず表地１または裏地３によって衣服のストレッチ性が制約されるからである。
【００２８】
ただし、後述するように表地１および裏地３にストレッチ性を付与した場合には、前記表止着線４または裏止着線５に直交する面において、隣り合う表止着線間Ｙでは前記中地２の長さが前記表地１の長さよりも長くなるよう設定してもよいし、隣り合う裏止着線間Ｚでは前記中地２の長さが前記裏地３の長さよりも長くなるよう設定してもよい。さらに、製造時の作業性（特に縫製のし易さ）を重視する場合には、前記表止着線４または裏止着線５に直交する面において、隣り合う表止着線間Ｙでは前記表地１の長さが前記中地２の長さと略等しく、隣り合う裏止着線間Ｚでは前記裏地３の長さが前記中地２の長さと略等しくなるよう設計することが好ましい。
【００２９】
前記中地２を前記表地１または前記裏地３に線状に止着する手段としては、縫合が一般的であるが、これに限定されるものではなく、例えば、接着などの手段を採用してもよい。
【００３０】
前記中材８としては、例えば、羽毛（ダウン）、羽根（フェザー）、綿などが、単独でもしくは併用して用いられる。中でも、羽毛、羽根またはそれらの混合物が好ましい。
【００３１】
本発明の防寒衣服は、蓄熱材および／または発熱材を含有していることが好ましい。蓄熱材を含有する場合には、表地から透過した太陽光を吸収して熱が蓄積され、発熱材を含有する場合には、例えば吸湿発熱材であれば汗や衣服内に篭った湿気により発熱するので、それらの熱でさらに発生した暖気が衣服内部を巡り、均一保温性がより向上する。例えば、背面から太陽光を受けて後身頃で蓄熱されると、それによって温められた暖気が前身頃にまで移動するので、太陽光が当たらない前面にも暖かさが伝わる。なお、蓄熱材および／または発熱材は、表地、中地、裏地、中材のいずれに含有されていてもよいが、蓄熱もしくは発熱した熱の放散を抑えるうえでは、裏地に含有されているのが好ましい。
【００３２】
本発明の防寒衣服においては、前記表止着線４と前記裏止着線５とが互いに重ならないように複数配されていればよく、隣り合う表止着線間Ｙのピッチと隣り合う裏止着線間Ｚのピッチの比率（Ｙ：Ｚ）は、図１および図２に示す実施形態の如く任意の比率で異なっていてもよいし、図３に示す実施形態の如く同じであってもよい。好ましくはＹ：Ｚ＝１：２〜３、より好ましくはＹ：Ｚ＝１：１であるのがよい。なお、ピッチの比率（Ｙ：Ｚ）はＹとＺが入れ替わっていてもよく、例えばＺ：Ｙ＝１：２〜３としてもよい。
【００３３】
また、本発明の防寒衣服においては、表止着線４および裏止着線５以外の止着線が形成されていてもよく、例えば任意のデザインとなるよう縫合によりステッチ（縫合線）を形成することができる。ただし、その場合には、図４に示す実施形態の如く、表止着線４および裏止着線５以外の止着線９が互いに平行になる（換言すれば、互いに重ならない）ようにすることが望ましい。そうすれば、少なくとも平行に配された２本の止着線９で囲まれた領域においては空気の移動が可能になり、衣服の離れた部分にまで暖気を行渡らせることができる。なお、逆に、表止着線４および裏止着線５以外の止着線を形成することにより、敢えて暖気の移動を遮断して、熱が伝わる領域を制御するようにしてもよい。
【００３４】
（防寒衣服の製造方法）
以下、本発明に係る防寒衣服の製造方法に関し、図面を参照しつつ詳細に説明する。
まず、図５および図６を用いて第一の製造方法を説明し、次いで、図７および図８を用いて第二の製造方法を説明する。なお、これら第一および第二の製造方法は、本発明の防寒衣服を得るのに適した方法ではあるが、上述した本発明の防寒衣服が第一および第二の製造方法で得られたものに限定される訳ではない。
【００３５】
図５は、第一の製造方法を説明するための概念図である。図５には、第一の製造方法における各生地および中材の積層状態と各止着線の配置を示す。また、図６は、第一の製造方法の各段階（ａ）〜（ｄ）における工程断面図である。
本発明の第一の製造方法は、下記の工程（Ｉ）〜（ＩＶ）を経て防寒衣服を作製するものである。
【００３６】
工程（Ｉ）；中地２に、裏地３側に対して突出する帯線状の重ね代１０を複数形成する。工程（Ｉ）において重ね代１０の形成は、図５および図６（ａ）に示すように、２枚の中地２を所定幅の縫代を残して縫合することにより行うことが好ましい。勿論、重ね代の形成方法はこれに限定されるものではなく、例えば、１枚の中地２に対して帯線状のリボンを縫合や接着等により止着するなどしてもよい。この工程（Ｉ）は、通常、後述する工程（ＩＩ）に先立ち行われるが、例えば帯線状のリボンを接着等で止着する方法を採用すれば、工程（ＩＩ）の後に行うこともできる。
【００３７】
なお、後述する工程（ＩＩＩ）で形成する裏止着線５の位置は、工程（Ｉ）で形成する複数の重ね代１０の位置に応じて決まることになるので、工程（Ｉ）で複数の重ね代１０を形成する際に、後に形成しようとする裏止着線５の配置を考慮しておくことが望ましい。
【００３８】
工程（ＩＩ）；図６（ａ）に示すように、中地２と表地１との間に中材８を挟持した状態で重ね代１０を除く複数箇所αにおいて中地２と表地１とを線状に止着した表止着線４を形成する。これにより、図６（ｂ）に示すように、表地１と中地２と２本の表止着線４により画されかつ内部に中材８を有する表側区画６が構成される。この工程（ＩＩ）における表地１と中地２との止着の手段としては縫合が一般的であるが、これに限定されるものではなく、例えば、接着などの手段を採用してもよい。
【００３９】
工程（ＩＩＩ）；中地２の重ね代１０と裏地３とを線状に止着して裏止着線５を形成する。つまり、図６（ｃ）に示すように、中地２の重ね代１０と裏地３とが重なる箇所βにおいて重ね代１０と裏地３とを線状に止着する。これにより、裏地３と中地２と２本の裏止着線５により画される裏側区画７が構成される。この工程（ＩＩＩ）における裏地３と重ね代１０との止着は、縫合により行ってもよいし接着等により行ってもよい。ただし、縫合により止着する場合には、中地２に設けられた複数の重ね代１０のうち、中地２の一方の端部（すなわち、重ね代１０に対向する辺）に近いものから、他方の端部に近いものにむけて順に縫合していけばよい。
【００４０】
工程（ＩＶ）；裏側区画７に中材８を挿入する。詳しくは、裏側区画７において、紙面に対し垂直方向（手前および奥）に存在する裏側区画７の開口部から、図６（ｄ）に示すように中材８を挿入する。中材８の挿入は、羽毛充填機を用いるなど公知の手法によればよい。挿入する中材８の量などは、中材８の種類（嵩高さ）や所望する防寒衣服の保温性と軽量性とのバランス等に応じて適宜設定される。
【００４１】
図７は、第二の製造方法を説明するための概念図である。図７には、第二の製造方法における各生地および中材の積層状態と各止着線の配置を示す。また、図８は、第二の製造方法の各段階（ａ）〜（ｆ）における工程断面図である。本発明の第二の製造方法は、下記の工程（Ｉ−１）〜（Ｉ−Ｎ）および工程（ＩＩ）を経て防寒衣服を作製するものである。
【００４２】
工程（Ｉ−１）；中地２と、表地１または裏地３とを線状に止着することにより表止着線４または裏止着線５である第一止着線Ｌ１を形成する。具体的には、例えば、図８（ａ）に示すように、中地２と表地１とを図中の破線箇所α１で縫合することにより、図８（ｂ）に示す表止着線４（Ｌ１）が形成される。
【００４３】
工程（Ｉ−２）；工程（Ｉ−１）に次いで、中地２と、表地１または裏地３とを線状に止着することにより表止着線４または裏止着線５である第二止着線Ｌ２を形成する。具体的には、例えば、図８（ｂ）に示すように、中地２と裏地３とを図中の破線箇所β１で縫合することにより、図８（ｃ）に示す裏止着線５（Ｌ２）が形成される。
【００４４】
工程（Ｉ−ｎ）；工程（Ｉ−２）に次いで、以降順次、Ｎを３以上の自然数、ｎを３以上Ｎ以下の自然数として、中地２と、表地１または裏地３とを線状に止着することにより表止着線４または裏止着線５である第ｎ止着線Ｌｎを形成する。具体的には、例えば、図８（ｄ）に示す表止着線４（Ｌ３）は、図８（ｃ）に示すように中地２と表地１とを図中の破線箇所α２で縫合することにより形成され、図８（ｅ）に示す裏止着線５（Ｌ４）は、図８（ｄ）に示すように中地２と裏地３とを図中の破線箇所β２で縫合することにより形成され、図８（ｆ）に示す表止着線４（Ｌ５）は、図８（ｅ）に示すように中地２と表地１とを図中の破線箇所α３で縫合することにより形成される。以上の工程をｎがＮになるまで繰り返す。
【００４５】
以上の工程（Ｉ−１）ないし工程（Ｉ−Ｎ）において、第一止着線Ｌ１ないし前記第Ｎ止着線ＬＮは、第一から第Ｎの順に並列に配されたものである。
【００４６】
工程（ＩＩ）；次いで、表地１と中地２と隣り合う２本の表止着線４，４により画される表側区画６、および、裏地３と中地２と隣り合う２本の裏止着線５，５により画される裏側区画７に中材８を挿入する。詳しくは、表側区画６および裏側区画７において、紙面に対し垂直方向（手前および奥）に存在する表側区画６の開口部および裏側区画７の開口部から、図８（ｆ）に示すように中材８を挿入する。中材８の挿入は、羽毛充填機を用いるなど公知の手法によればよい。挿入する中材８の量などは、中材８の種類（嵩高さ）や所望する防寒衣服の保温性と軽量性とのバランス等に応じて適宜設定される。
【００４７】
以上、本発明に係る防寒衣服とその製造方法に関して、図面を参照しつつ具体的に説明したが、本発明はもとより図示例に限定される訳ではなく、前・後記の趣旨に適合し得る範囲で適当に変更を加えて実施することも可能であり、それらはいずれも本発明の技術的範囲に包含される。
【符号の説明】
【００４８】
１  表地
２  中地
３  裏地
４  表止着線
５  裏止着線
６  表側区画
７  裏側区画
８  中材
９  止着線
１０  重ね代
【図１】
2011202295.tif 000003
【図２】
2011202295.tif 000004
【図３】
2011202295.tif 000005
【図４】
2011202295.tif 000006
【図５】
2011202295.tif 000007
【図６】
2011202295.tif 000008
【図７】
2011202295.tif 000009
【図８】
2011202295.tif 000010